(57)【特許請求の範囲】
【請求項１】
電気的導電体接合コネクタであって：
前記電気的導電体接合コネクタは、
複数の溝部を備えた本体部と；
前記本体部上で前記複数の溝部の各々内に移動可能に設けられた複数の導電体接触ウェッジと；
前記本体部に接続され、前記複数の導電体接触ウェッジの一つと接触する少なくとも一つのウェッジ移動反逆転クリップと；
を備え、
前記複数の導電体接触ウェッジの少なくとも一つは複数の鋸歯状部を含み、前記反逆転クリップと前記複数の鋸歯状部の一つとの間の係合が前記複数の導電体接触ウェッジの一つが反対方向へ戻ることを防止する、電気的導電体接合コネクタ。
【請求項２】
前記反逆転クリップは、前記本体部の頂部側に設けられている請求項１記載の電気的導電体接合コネクタ。
【請求項３】
前記本体部は、２つのウェッジ受容領域を備えていて、この２つのウェッジ受容領域は、実質的に開放された頂部側を備えている請求項１記載の電気的導電体接合コネクタ。
【請求項４】
前記複数の鋸歯状部は、前記複数の導電体接触ウェッジの少なくとも一方の頂部側に存在し、前記半逆転クリップの一部分によって係合される請求項１記載の電気的導電体接合コネクタ。
【請求項５】
前記反逆転クリップは、複数のウェッジの一つと接触する反逆転タブと、さらに前記反逆転タブに隣接して配置された取外しタブを有する部分を含み、前記取外しタブは、本体部から離間するように移動され、それによって反逆転タブを移動するのに適している請求項１記載の電気的導電体接合コネクタ。
【請求項６】
前記半逆転クリップは、前記反逆転タブと前記取外しタブとの間に配置された切欠部を備えている請求項５記載の電気的導電体接合コネクタ。
【請求項７】
前記反逆転タブは、前記取外しタブに関してほぼ直交する方向へ延びている請求項５記載の電気的導電体接合コネクタ。
【請求項８】
前記反逆転クリップは、前記複数の導電体接触ウェッジの一つの上の前記複数の鋸歯状部と係合する前記反逆転クリップの前端部に反逆転タブを備え、前記反逆転クリップの後端部にウェッジ停止タブを備えている請求項１記載の電気的導電体接合コネクタ。
【請求項９】
前記反逆転タブと前記ウェッジ停止タブとは、ほぼ同一方向に延びている請求項８記載の電気的導電体接合コネクタ。
【請求項１０】
前記反逆転タブと前記ウェッジ停止タブとは、ほぼ直交する方向に延びている請求項８記載の電気的導電体接合コネクタ。
【請求項１１】
前記導電体接触ウェッジは、同時に前記本体部上で前進移動と後進移動をするために接続部によって互いに接続されている１対のウェッジを備えている請求項１記載の電気的導電体接合コネクタ。
【請求項１２】
第１のウェッジは、第２のウェッジの受容領域内に摺動可能に延びたバーを備えている請求項１１記載の電気的導電体接合コネクタ。
【請求項１３】
前記バーは、前記第１のウェッジの頂部側に隣接して配置されていて、前記受容領域は、前記第２のウェッジの頂部側に隣接して配置されている請求項１２記載の電気的導電体接合コネクタ。
【請求項１４】
前記第１のウェッジは、前記本体部の外方に延びた上方に延びる移動タブを備えている請求項１３記載の電気的導電体接合コネクタ。
【請求項１５】
前記反逆転クリップは、複数のタイプの導電体用に所定のウェッジ位置指示部を備えていて、この指示部は前記クリップの頂部側に配置されている請求項１記載の電気的導電体接合コネクタ。
【発明の詳細な説明】
【０００１】
【発明の属する技術分野】
本発明は、電気的接合装置に関し、特に、電気的接合コネクタと電気的導電体の接合部の形成方法に関する。
【０００２】
【従来の技術】
電気的導電体の端部を互いに接続するための電気的接合コネクタは、この分野でよく知られている。把持部材に形成されたウェッジ(wedge)を備えた接合部の１つのタイプが開示されている(例えば、特許文献１参照。)。実質的に開放側部を備えた他のタイプの接合コネクタが開示されている(例えば、特許文献２参照。)。
【０００３】
【特許文献１】
米国特許第３、２０５、３００号明細書
【特許文献２】
米国特許第６、１９３、５６５号明細書
【特許文献３】
米国特許第４１４、３６２号明細書
【特許文献４】
米国特許第３、３８４、７０４号明細書
【特許文献５】
米国特許第４、０６６、３６８号明細書
【特許文献６】
米国特許第４、３６２、３５２号明細書
【特許文献７】
米国特許第４、６９８、０３１号明細書
【特許文献８】
米国特許第４、４２８、１００号明細書
【特許文献９】
米国特許第５、０４４、９９６号明細書
【特許文献１０】
米国特許第５、２７８、３５３号明細書
【特許文献１１】
米国特許第５、６８３、２７３号明細書。
【０００４】
【発明が解決しようとする課題】
従来のコネクタよりも製造と組み立てが容易であって、しかしながらコネクタ内への導電体の開放側部装填を考慮した、改良された電気的接合コネクタを提供したいという要望がある。コネクタのウェッジの移動用に、反逆転移動機能(anti-reversing movement function)を提供したいという要望もまたある。反逆転移動機能に打ち克つための能力を提供したいという要望もまたある。導電体への接続前にコネクタの構成要素が不注意にも互いに分離してしまうことがないように、ただ１つのユニットとして接合コネクタを提供したいという要望もまたある。
【０００５】
【課題を解決するための手段】
本発明の１つの態様によれば、電気的導電体接合コネクタは、本体部と；本体部に移動可能に設けられた導電体接触ウェッジと；本体部に接続され一方のウェッジに接触する少なくとも一方のウェッジ移動半逆転クリップとを備えて提供される。
【０００６】
本発明の他の態様によれば、電気的導電体接合コネクタは、本体部を備えていて；本体部に摺動可能に設けられ底面と外側横面とを有する１対の対向する導電体接触ウェッジを備えて提供される。第１のウェッジは、対のウェッジの互いの前進移動および後進移動をインターロック(interlock)するために、第２のウェッジの受容領域内に摺動可能に延びた第１のウェッジの頂部部分に片持ち梁のバー(cantilevered bar)を備えている。
【０００７】
本発明の他の態様によれば、電気的導電体接合コネクタは、本体部と；本体部に摺動可能に配置された１対のインターロックされた対向する導電体接触ウェッジと；を備えていて、本体部はウェッジ溝を備えて提供される。ウェッジはウェッジ溝に摺動可能に配置された突出部を備えている。少なくとも１対のウェッジ溝は、主体部と、主体部に関して内方に配置された最初の設置部(initial mounting portion)とを備えている。対のウェッジを本体部上に配置する間、突起部がウェッジ溝の主体部内に移動される前に、突起部はウェッジ溝の最初の設置部に配置されていなければならない。
【０００８】
本発明の１つの方法によれば、電気的導電体接合コネクタを組み立てる方法は、ウェッジを接合コネクタ本体部のウェッジ受容領域内に挿入するステップと；半逆転クリップを接合コネクタ本体部の頂部側に接続するステップとを備えて提供され、クリップは、ウェッジ受容領域内に内方へ突出していてウェッジと接触する反逆転タブを有している。
【０００９】
本発明の他の方法によれば、電気的導電体接合コネクタを組み立てる方法は、１対の導電体接触ウェッジを接合コネクタ本体部のウェッジ受容領域内に挿入するステップを備えていて、ウェッジは、本体部の溝の最初の設置部内に挿入され、また、溝の主体部内で実質的に移動する突起部を備えていて；クリップを接合コネクタ本体部に接続するステップを備えて提供され、クリップは、突起部が、溝の最初の設置部内に後方へ移動すること、および、接合コネクタ本体部から思いがけなく接続解除されるようになることから阻止されるように、少なくとも一方のウェッジの移動のための直接的バリヤを形成する。
本発明の上述した目的および他の態様は、添付した図面と関連してなされる以下の記述において説明される。
【００１０】
【発明の実施の形態】
図１を参照すると、本発明の特徴を取り入れた電気的導電体接合コネクタ１０の斜視図が示されている。本発明は、図面に示された実施例を参照して説明されるけれども、本発明は、他の多くの実施例の形態に具現できることを理解しなければならない。さらに、部材または材料のあらゆる適切な寸法、形状またはタイプでも使用できる。
【００１１】
コネクタ１０は、全体的に、本体部１２と、２対１４、１６の導電体接触ウェッジ１８、２０と、２つのウェッジ移動半逆転クリップ２２とを備えている。これに替わる実施例において、コネクタ１０は、付加的なまたはこれに替わる構成要素を備えることができる。コネクタ１０は、一般的に、２つの導電体Ａ、Ｂを互いに固定的にまた電気的に接続するのに適している。これに替わる実施例において、コネクタ１０は、２つ以上の導電体を互いに取着するのに適している。
【００１２】
本体部１２は、全体的に一体的フレーム部材を備えている。しかしながら、これに替わる実施例において、本体部１２は１つ以上のフレーム部材を備えることができる。本体部すなわちフレーム１２は、好ましくは、ほぼＣ字形状の断面を有する金属からなる。ほぼＣ字形状は、導電体Ａ、Ｂがコネクタの実質的に開口した頂部側を通ってコネクタ１０内に挿入されるようにする。しかしながら、これに替わる実施例において、フレーム１２は他の適切なタイプの材料からなることができる。さらに、フレーム１２は他のいかなる適切なタイプの形状をも有することができる。図２もまた参照すると、フレーム部材１２は２つの対向する端部すなわち側部２３ａ、２４ｂを備えている。開示された実施例において、２つの対向する側部２４ａ、２４ｂは、互いに実質的に鏡面対照的になっている。しかしながら、これに替わる実施例において、２つの対向する側部は異なる形状を有することができる。
【００１３】
各側部２４ａ、２４ｂは、底部２６と２つの側方部２８、２９を備えていて、これらは、ウェッジ１８、２０の対の一方と、導電体Ａ、Ｂの一方の端部とを受けるための受容領域３４を形成している。底部２６は、２つのウェッジ溝３６、３７を有する頂部側を備えている。ウェッジ溝３６、３７は、主体部３８と２つの最初の設置部４０、４１とを各備えている。開示された実施例において、２つの側部２４ａ、２４ｂのウェッジ溝は、最初の設置部４１の同一後部を分配している。しかしながら、これに替わる実施例において、これらは最初の設置部４１の同一の後部を分配しなくとも良い。２つの側方部２８、２９は、内方に突出した突出部４２を有する頂部側分を有している。これは、チャンネル４４を形成し、そのチャンネル４４内にウェッジ１８、２０の外側側方部を摺動可能に受容する。フレーム１２の頂部側分はまた、クリップ設置部４６を備えている。しかしながら、これに替わる実施例において、クリップ２２をフレーム１２に取着するための他の適切な手段を備えることもできる。
【００１４】
図３、４および５もまた参照すると、ウェッジ１８、２０の一方の対１４、１６が示されている。この実施例において、ウェッジのこの対１４、１６は、互いに等しく、単に互いに反対方向へ方向付けられているのみである。しかしながら、これに替わる実施例において、ウェッジの対は、互いに異なることができる。他のこれに替わる実施例において、側部２４ａ、２４ｂの一方または両方は、対のウェッジよりはむしろ単に単一のウェッジを備えることができる。
【００１５】
各第１のウェッジ１８は、全体的に、底部側４８と、頂部側５０と、内方に面した側５２と、チャンネル４４の１つに位置付けられ外方に面した側とを備えている。底部側４８は、２つの突起部５４、５６を備えている。これに替わる実施例において、底部側４８は２つより少ないかまたは多い突起部を有することができる。頂部側５０は、ウェッジ１８のほぼ後端部６０に位置付けられた突起部５８を備えている。突起部５８は、ウェッジを引き込んだり前進させたりするためのタブを形成する。タブ５８の１つの機能は、装着者がウェッジ１８、２０を引き込んだり前進したりすることを可能にするためにそれがハンマーで打撃できることである。ウェッジを引き込んだり前進したりするためのタブの形状は、ハンマーで打撃するために伝導性であって、コネクタがローラブロックを通して引かれた場合にウェッジを引き込んだり前進したりするためのタブが、ポーリング(polling)、または、導電体がウェッジから係合解除しようとするのを制限するために捕捉されないように、依然として十分に流線型である。突起部５８は、その前側に接触面６４を形成する。突起部５８は、フレーム１２の頂部で受容領域３４の外側に延びている。接触面６４は、導電体Ａ、Ｂの一方との把持係合からウェッジを移動する場合に、ハンマーのような工具によって打撃されるのに適している。これに替わる実施例において、突起部５８は設けなくとも良い。タブ５８の後面の部分は、真っ直ぐで、反逆転タブ２２の導電体の目盛(gradation)９８ａ〜９８ｃに垂直である。これは、ウェッジが挿入された導電体のタイプ用に正しい位置にあることの良い表示器を提供することにおいてタブ５８の他の機能である。
【００１６】
内方に面した側５２は、突起部５８に隣接した突起部６２を備えている。開示された実施例において、この突起部６２は、ほぼ片持梁状の形状を有している。しかしながら、これに替わる実施例において、突起部６２は、どのような適切な形状をも有することができる。内方に面した側５２はまた、導電体Ａ、Ｂの一方をその上に把持するための把持面を形成する分離された部分６６を備えている。把持面６６は、導電体溝を形成するために、ほぼ凹形の形状を有している。頂部側５０はまた、その長さのほとんどに沿って鋸歯状部(serration)６８（図１参照）を備えている。
【００１７】
各第２のウェッジ２０は、全体的に、底部側７０と、頂部側７２と、内方に面した側７４と、一方のチャンネル４４に設けられた外方に面した側とを備えている。底部側７０は、２つの突起部７６、７８を備えている。これに替わる実施例において、底部側７０は２つより多いか少ない突起部を備えることができる。頂部側７２はその後端部８２に隣接して配置された突起部８０を備えている。突起部８０はその中に開口部８４を備えている。図５もまた参照すると、開口部８４は、その中に対向するウェッジのバー(bar)形状の突起部６２を摺動可能に受けるように寸法が定められ形成されている。内方に面した側７４はまた、導電体Ａ、Ｂの一方をその上に把持するための把持面を形成する鋸歯状部８６を備えている。これに替わる実施例において、内方に面した側７４の適切なタイプの把持面を備えることができる。把持面８６は、導電体溝を形成するために、ほぼ凹状の形状を有する。
【００１８】
開示された実施例において、一方の対のウェッジ１８、２０をフレーム１２に設けるために、ウェッジ１８、２０は、互いに比較的近く隣接して設けられている。２つの把持面６６、８６は互いに面している。バー形状の突起部６２は、開口部８４内に延びている。ウェッジ１８、２０の対は次に、受容領域３４内に挿入される。ウェッジ１８、２０が挿入されると、前底側突起部５４、７６は、溝３６、３７の前部の最初の設置部４０内に延びる。同様に、後底側突起部５６、７８は、溝３６、３７の後部の最初の設置部４１内に延びる。ウェッジ１８、２０は次に、底側突起部５４、５６、７６、７８が溝３６、３７の主体部３８内に延びるように、互いに関して外側へ移動される。ウェッジ１８、２０は次に、溝３６、３７の外側端部に向かって前に移動される。これは、溝３６、３７の最初の設置部４０、４１との底側突起部５４、５６、７６、７８の不整列を生ずる。
【００１９】
ウェッジ１８、２０が互いに関して外側へ移動された場合、それらの頂部側５０、７２の部分は、内方へ突出した突出部４２の下方に位置付けられる。底側突起部５４、５６、７６、７８が溝３６、３７の主体部３８に拘束され、また、ウェッジの部分が内方へ突出した突出部４２によってチャンネル４４内に拘束されることによって、ウェッジ１８、２０は溝３６、３７の経路に沿った摺動移動が拘束される。溝３６、３７は、互いに関して整列される。ウェッジ１８、２０がフレーム１２の外端部へ向かって移動すると、把持面６６、８６は互いに関して移動される。把持面６６、８６が互いに関して移動すると、ウェッジは２つのウェッジ間に配置された導電体Ａ、Ｂの一方上に保持されることが可能になる。
【００２０】
上記で特筆したように、バー形状の突起部６２は、開口部８４内に配置されている。これは、ウェッジの各対のウェッジ１８、２０間のインターロック係合(interlocking engagement)を提供する。このインターロック係合は、２つのウェッジ１８、２０が、互いに実質的に一致してフレーム１２の端部と相対的に外側と内側へ移動することを確実にする。これに替わる実施例において、ウェッジの対間のインターロック係合は備えていなくとも良い。これに替えて、対向するウェッジ間の他の適切なタイプのインターロック係合を提供することもできる。
【００２１】
対向するウェッジの位置を考慮しないで、第１のウェッジ１８上のバー状突起部６２は、好ましくは、常に第２のウェッジ２０上の矩形の穴８４と相互干渉できる。ウェッジの連結構造の１つの目的は、ウェッジが常に互いに関して同一割合で前進しまた引き込められることを確実にすることである。各ウェッジ導電体溝からの圧力は、ウェッジが前進される場合、導電体上に常に対称的に適用される。
【００２２】
連結構造の他の目的は、取り付け中にコネクタ内への導電体の挿入を助けることである。代表的には、取り付け中、導電体の端部は、磨耗したストランド(frayed strand)を取り除くために切断される。導電体の端部は、一般的に「バナナ状部(bananaing)」として参照される通常わずかな湾曲部を獲得する。湾曲部すなわち「バナナ状部」は、導電体が、２つの対向するウェッジ導電体溝面６６、８６に沿ったチャンネルのような真っ直ぐなチャンネル内に挿入されることを困難にする。片持ち梁バー突起部６２は、バー突起部の下側の導電体がウェッジ導電体溝に適切に整列されるように、導電体の湾曲した端部がバー突起部６２の下側で掃引されるのを可能にする。装着者は、次に、バー突起部６２の下側の端部によって、バー突起部６２を支点として使用して導電体をウェッジ導電体溝面６６、８６間のチャンネル内に押すことによって、導電体を真っ直ぐにできる。
【００２３】
上記で特筆したように、導電体１０は、２つのウェッジ移動半逆転クリップ２２を備えている。これに替わる実施例において、２つよりも多いか少ないウェッジ移動半逆転クリップを備えることができる。２つのウェッジ移動半逆転クリップは、互いに同等である。しかしながら、これに替わる実施例において、ウェッジ移動半逆転クリップは、互いに異なることができる。半逆転クリップ２２は、好ましくは単一の打ち抜かれ成形されたシート状金属部材から各なっている。しかしながら、これに替わる実施例において、半逆転クリップは、１つの部材より多い部材を備えることができ、また、種々の適切なタイプの製造プロセスによって形成された種々のタイプの材料を備えることができる。
【００２４】
図６もまた参照すると、各導電体半逆転クリップ２２は、全体的に、主体部９０と、前方部９２と、後方部９４とを備えている。主体部９０は全体的に、設置孔９６とマーキング９８ａ、９８ｂ、９８ｃをその頂部側に備えている。クリップ２２は、設置孔９６に受容された設置ポストを有するフレーム１２の頂部側に設けられている。設置ポスト４６は次に、クリップ２２をフレーム１２に固定的に取着するために変形される。これに替わる実施例において、クリップ２２をフレーム１２に設けるための種々の適切な手段が提供できる。
【００２５】
クリップ２２は、適切な導電体装着用にウェッジ１８、２０の位置を示すための特徴として使用されるマーキング９８ａ〜９８ｃを有している。マーキング９８は、導電体１０が、収容するのに適した導電体の寸法に対応する目盛マーキングとして使用される。換言すれば、半逆転クリップは、複数のタイプの導電体用に所望のウェッジ位置指示部(indicia)を備えていて、この指示部は、クリップの頂部側に配置されている。導電体の装着中、ウェッジ１８、２０は、ウェッジ上の導電体溝が導電体の周りに固定されるように前進される。ウェッジが、特定の導電体寸法上に正確に装着された場合、ウェッジ１８の後部は、クリップ２２上の適切な導電体の目盛と整列される。これは、導電体１０が特定の寸法の導電体用に適切に装着されたことの装着者に対する目視可能な表示装置である。これに替わる実施例において、マーキング９８ａ〜９８ｃは設けられなくとも良く、また、導電体１０は、種々の適切なタイプのウェッジ位置付け表示すなわち表示装置を設けることができる。
【００２６】
前方部９２は、全体的に、取外し(removal)タブ１００と、反逆転タブ１０２と、それらの間の切欠部１０４とを備えている。これに替わる実施例において、前方部９２は、これに替わる部分または付加的な部分を備えることができる。反逆転タブ１０２とウェッジ１８上の鋸歯状部６８とは、導電体１０用のウェッジ反逆転機構を形成する。こられの構成要素は、ウェッジが、コネクタのフレーム１２の端部に向かう外側の方向である一方方向のみに前進するのを可能にするために一体に作用する。
【００２７】
構造によって、導電体がウェッジの１対の間に挿入された場合、ウェッジは、コネクタの鼻部すなわち端部に向かって前方へ移動される。ウェッジは、ウェッジの導電体溝と導電体との間に圧力を適用するために閉じる。張力がコネクタから離間して導電体に軸線的に適用されるので、ウェッジは、圧力が増加するように前進する。ウェッジが前方へ移動するので、クリップ２２の反逆転タブ１０２は、ウェッジ１８上の引き続く鋸歯状部６８に沿ってクリック(click)する。鋸歯状部６８は好ましくは、タブ１０２が、次の鋸歯状部内に前進するのを可能にするが、タブ１０２が反対側の方向に戻ることができないように、鋸の歯のような鋸歯状構造を有している。このようにして、これは、ウェッジ１８が戻り導電体の圧力を減少することから阻止する。
【００２８】
反逆転タブ１０２は、取外しタブ１００と相対的にほぼ直交する方向へ延びる。取外しタブ１００は、スロットが設けられたドライバーのような工具が、タブ１００を上に持ち上げるためにタブ１００の下方に挿入されるようにする。このタブ１００を持ち上げることによって、反逆転タブ１０２は、ウェッジ１８上のウェッジ鋸歯状部６８から係合解除される。これは、ウェッジ１８、２０がフレーム１２の中心に向かって後方へ引き込められるのを可能にする。これは、装着者に、装着中の調整をするための能力を与える。これは、いったん装着されたコネクタを除去する能力もまた与える。
【００２９】
上記で特筆したように、クリップ２２は、２つのタブ１００、１０２間に配置された切欠部１０４を備えている。切欠部１０４の長さを変更することによって、反逆転タブ１０２のスプリングの堅さは変更できる。切欠部０１４が短ければ短いほど、反逆転タブ１０２のスプリングの堅さはより堅くなるであろう。切欠部０１４が長ければ長いほど、反逆転タブ１０２のスプリングの堅さはより堅さがなくなるであろう。反逆転タブ１０２の堅さが増せば増すほど、フレーム１２において自由に摺動するためのウェッジの能力が減少する。反逆転タブ１０２の堅さが減少すると、フレーム１２において自由に摺動するためのウェッジの能力が増加する。半逆転クリップ２２の構成中、調整によって、摺動ウェッジの所望の「感触(feel)」は達成できる。これに替わる実施例において、切欠部１０４は、設けられなくともよい。
【００３０】
クリップ２２の後方部９４は、ウェッジ停止タブ１０６を備えている。反逆転タブとウェッジ停止タブとは、ほぼ同一方向に伸びている。ウェッジ停止タブ１０６は、ウェッジがフレーム１２上のある点を超えて引き込まれることから阻止するために備えられている。これは、ウェッジ１８、２０が、工場での組み立て後にフレーム１２に残ることを確実にするために重要な特徴である。工場でのコネクタ組み立て中、ウェッジ１８、２０は、フレーム１２内にはまり込みまた落ち込む。ウェッジは次に、ウェッジの外側横面が、フレーム１２の外側壁と接触するように離間して広がる。ウェッジは次に、底側の突出部５４、５６、７６、７８が、スロット３６、３７の最初の設置部４０、４１と係合するための能力をもはや有していず、フレーム１２から取り外される点まで、フレーム１２のウェッジ溝上で前方へ進められる。半逆転クリップ２２は次に、フレーム１２上にまたウェッジ１８の頂部に組み立てられる。ウェッジ停止タブ１０６は、ウェッジ１８の後ろ側６０を当接し、ウェッジ１８が、スロット３６、３７の最初の設置部４０、４１を介して、フレーム１２から係合解除するようになる点から後方へ移動するのを恒久的に阻止する。クリップ２２は、次にフレーム１２に固定され、このようにしてウェッジ１８、２０がフレーム１２から外れようとすることを阻止する。
【００３１】
図７と８もまた参照すると、本発明の他の実施例が述べられている。この実施例において、コネクタフレーム１２と対のウェッジ１８、２０は、図１に示された実施例と同一である。しかしながら、半逆転クリップは異なっている。この実施例におけるクリップ１２２は、全体的に、主体部１９０と、前方部１９２と、後方部１９４とを備えている。主体部１９０は、図６に示されたクリップの主体部９０と同一である。主体部１９０は、設置孔９６とマーキング９８ａ〜９８ｃを備えている。前方部１９２は図６に示されたクリップの前方部９２と同一である。前方部１９２は、取外しタブ１００と、反逆転タブ１０２と、それらの間の切欠部１０４とを備えている。
【００３２】
後方部１９４は、図６に示されたクリップの後方部９４とは異なる。この実施例において、後方部１９４は、横方向内方の突起部１９８を備えている。図７に示されたように、横方向内方の突起部１９８は、ウェッジ１８の後端部６０の後ろに突出するのに適している。突起部１９８は、図６に示されたタブ１０６と同様に、フレーム１２上でのウェッジ１８の後方への移動を制限する。しかしながら、突起部１９８は、板状金属素材を単に打ち抜くだけで、図６に示されたクリップ２２が必要とする曲げ処理を必要としないで形成することができる。図８におけるクリップ２２の構成はまた、図６に示されたクリップ２２よりも少ない材料しか必要ではない。これは、製造コストを減少できる。これに替わる実施例において、種々の適切なタイプの半逆転クリップを備えることができる。
【００３３】
上述の記述は、本発明の例示のみであることを理解しなければならない。多くのこれに替わるものおよび変形が、本発明から逸脱しないでこの分野の当業者によって考案できる。したがって、本発明は、請求の範囲の目的内に入るそのような全ての代替、変更および変化を包含するように企図されている。
【図面の簡単な説明】
【図１】  本発明の特徴を取り込んだ電気的導電体接合コネクタの斜視図。
【図２】  図１に示されたコネクタの本体部の一方の端部の部分的平面図。
【図３】  図１に示された第１の導電体接触ウェッジの側部立面図。
【図４】  図３に示された第１の導電体接触ウェッジとともに使用されるように企図された図１に示された第２の導電体接触ウェッジの側部立面図。
【図５】  図１に示された対の導電体接触ウェッジの後端部の部分的頂部平面図。
【図６】  図１に示された半逆転クリップの斜視図。
【図７】  図１に示されたコネクタの他の実施例の部分的斜視図。
【図８】  図７に示された半逆転クリップの斜視図。
【符号の説明】
１０……電気的導電体接合コネクタ（電気的接合コネクタ、コネクタ）；  １２……本体部（フレーム、フレーム部材）；  １４、１６（Ａ、Ｂ）……導電体；  １８、２０……ウェッジ；  ２２、１２２……（ウェッジ移動半逆転）クリップ；  ２６……底部；  ２８、２９……側方部；  ３４……受容領域；  ３６、３７……ウェッジ溝（溝）；  ３８、９０、１９０……主体部；  ４０、４１……最初の設置部；  ４４……チャンネル；  ４６……クリップ設置部；  ４８、７０……底部側；  ５０、７２……頂部側；  ５２、７４……内方に面した側；  ５８……突起部（タブ）；  ６０、８２……後端部；  ６４……接触面；  ６６、８６……把持面；  ６８……鋸歯状部、  ８４……開口部；  ９４、１９４……後方部；  ９２、１９２……前方部；  ７６、７８、１９８……突起部；９６……設置孔；  ９８、９８ａ、９８ｂ、９８ｃ……マーキング；  １００……取外しタブ；  １０２……反逆転タブ；  １０４……切欠部；  １０６……ウェッジ停止タブ；  １９８……横方向内方の突起部
【図１】
0004263494.tif 000002
【図２】
0004263494.tif 000003
【図３】
0004263494.tif 000004
【図４】
0004263494.tif 000005
【図５】
0004263494.tif 000006
【図６】
0004263494.tif 000007
【図７】
0004263494.tif 000008
【図８】
0004263494.tif 000009